Podtech/llm-jp-corpus-v4-ja_patent huggingface dataset:
(57)【要約】【課題】  屋外で一般的な渦巻き型蚊取線香を使う場合に支持台や容器を必要とするが、この支持台や容器を必要としない蚊取線香を提供し、置く場所を限定されない蚊取線香。【解決手段】  蚊取線香を串状の木製の柄の上部に成形固着し、柄付き蚊取線香をつくり、柄の部分を地面に差込み自立させる。又、柄となる素材を金属素材に変える事で支持台や吊り鈎を手で成形し使用することができる。【選択図】  図７
0003127039.tif 000002
【実用新案登録請求の範囲】
【請求項１】
木製の柄の上部に成形された蚊取線香を固着させた串状の地面に差し込む事ができる柄付き蚊取線香。
【請求項２】
串状の柄を手で折り曲げ可能な金属素材に変える事により支持台や吊り鈎を成形し独立して使用できる請求項１の柄付き蚊取線香。
【考案の詳細な説明】
【技術分野】
【０００１】
本考案は屋外で簡単に効果ある蚊取線香の使い方ができる、蚊取線香に関するものである。
【背景技術】
【０００２】
従来の蚊取線香は渦巻き型が主流になっていて、使用するには支持台又は容器が必要になっている。
【０００３】
これに対し蚊取線香の形状の工夫がなされており、例えば特開平１１２０９２０１に筒状形態の屋外用蚊取線香が提案されているが使う時に専用の支持台、容器が必要となる。又、特開２００３９２９６８に提案されている蚊取線香器具は基台となる容器の中に軸を収納するために大きさ、長さが限定され、軸の上部に蚊取線香を平面的に乗せて使用するので蚊取線香の大きさ、量が限定される。
【特許文献１】特開平１１２０９２０１号公報
【特許文献２】特開２００３９２９６８号公報
【考案の開示】
【考案が解決しようとする課題】
【０００４】
従来の渦巻き型蚊取線香は屋外で使用する時に支持台、容器が必要となり安定した置き場所を選択しなければならない。
【０００５】
従来の渦巻き型蚊取線香は平面的に二つの渦巻き蚊取線香が重ねられ保管されているので取り出し、使用する時の手間がかかる。
【０００６】
これに対して本考案は蚊取線香の支持台、容器を必要とする問題解消を課題とするものである。
【課題を解決するための手段】
【０００７】
上記の課題を解決する為に、本考案は木製の柄の上部に成形された蚊取線香を固着させた串状の地面に差し込む事ができる柄付き蚊取線香である。又、本考案は串状の柄を手で折り曲げ可能な金属素材に変える事により支持台や吊り鈎ができる柄付き蚊取線香である。
【考案の効果】
【０００８】
蚊取線香の線香部分は串状の柄の上部に成形されているため、柄で束ねる事が容易となり、柄の部分を握り蚊取線香部分に触れる事無く取り出す事ができる。
【０００９】
本考案の柄付き蚊取線香は屋外で土の地面に差し込み、自立することができ、その構造及び使用方法が非常に簡単であり、蚊取線香を使用中に蚊の発生場所にあわせての移動し、手に持つ事ができる為、害虫防除効果が高まる。又自立させる為の空間は小さいので複数個の柄付き蚊取線香を使う事でより効果は倍増する。
【考案を実施するための最良の形態】
【００１０】
柄付き蚊取線香の柄１は串状の地面に差し込む事のできる木製とする。
【００１１】
柄付き蚊取線香の柄１、４、５の上部周囲に成形された蚊取線香２を固着させる。蚊取線香の大きさ、長さは蚊取線香の効力、時間によって調整する。
【００１２】
柄付き蚊取線香の柄４、５となる素材を手で折り曲げる事のできる針金などの金属製にする事で柄の部分を自立できる支持台５に成形でき、又、吊り鈎状４にして柄付き蚊取線香を吊る事ができる。
【実施例】
【００１３】
図１から５図までの記載実施図から図５に示すように柄付き蚊取線香を地面に差し込み使用する。火は図２の２上部に点火させる。又、柄１を持ったまま着火して移動する事もできる。柄１の長さ、蚊取線香２の大きさは使用する場所の状況、効果、使用時間によって変える。
【００１４】
図６、図７の図は柄付き蚊取線香の柄４、５の素材を金属に変える事によって使用する場所を広くし、効果を高める。図６では柄の素材を金属にして吊り鈎状４に成形して木の枝やロープ等に吊る事ができる。図７では柄の素材を金属にして自立できるように渦巻き型の自立台５を成形する事ができる。
【図面の簡単な説明】
【００１５】
【図１】柄付き蚊取線香の平面図である。
【図２】柄付き蚊取線香の側面図である。
【図３】柄付き蚊取線香の底面図である。
【図４】柄付き蚊取線香の断面図である。
【図５】柄付き蚊取線香を地面に差込んだ使用図である。
【図６】本考案の別の実施例の柄付き蚊取線香の柄の素材を金属にして吊り鈎状に成形した例。
【図７】本考案の別の実施例の柄付き蚊取線香の柄の素材を金属にして自立台を成形した例。
【符号の説明】
【００１６】
１・・木製柄部
２・・蚊取線香部
３・・地面
４・・金属製柄部（吊り鈎状に成形）
５・・金属製柄部（渦巻き型自立台に成形）
【図１】
0003127039.tif 000003
【図２】
0003127039.tif 000004
【図３】
0003127039.tif 000005
【図４】
0003127039.tif 000006
【図５】
0003127039.tif 000007
【図６】
0003127039.tif 000008
【図７】
0003127039.tif 000009
(57)【要約】  【課題】現在考案されている紫外線ランプ付掃除機ノズルは誤照射防止機能を有していなかった。  人体への影響がある紫外線の誤照射を防ぎ、安全性が確保される。紫外線滅菌ランプ付掃除機ノズルの底面部分に、床面接触入力スイッチ及び、掃除機ホース手元に手動入力スイッチを装備する。この安全スイッチ付き紫外線ランプ掃除機ノズルにより、紫外線ランプが床面清掃可動時以外には点灯されないのである。紫外線滅菌ランプを点灯するスイッチを付けることにより、紫外線が床面のみに照射され、人体への安全が確保される。  【解決手段】  本考案の最良の形態として紫外線ランプ付き掃除機ノズルの吸い込み口の床面接触部分とホース手元に紫外線照射スイッチを備えることである。  紫外線滅菌ランプ付掃除機ノズルの底面にランプ点灯スイッチとホース手元にランプ点灯スイッチを有した安全スイッチ付除菌消毒紫外線掃除機ノズルを考案した。【選択図】    図１
0003127002.tif 000002
【実用新案登録請求の範囲】
【請求項１】
清掃面に紫外線照射のできる紫外線ランプが組み込まれた掃除機ノズルの底面にランプ点灯スイッチを有した紫外線装着掃除機ノズル。
【請求項２】
清掃面に紫外線照射のできる紫外線ランプが組み込まれた掃除機ノズルの掃除機ホース手元にランプ点灯スイッチを有した請求項１記載の紫外線装着掃除機ノズル。
【考案の詳細な説明】
【技術分野】
【０００１】
本考案は紫外線ランプ付き掃除機ノズルの誤照射に関する。
【背景技術】
【０００２】
現在考案されている紫外線ランプ付掃除機ノズルは誤照射防止機能を有していなかった。
【考案の開示】
【考案が解決しようとする課題】
【０００３】
現在考案されている紫外線ランプ付掃除機ノズルにおいて紫外線の誤照射を防ぎ、安全に使用されるものである。
【課題を解決するための手段】
【０００４】
清掃時に紫外線ランプが点灯する様、紫外線ランプ付掃除機吸い込み口の底面部分に、底面接触入力スイッチ（請求項１による）及び掃除機ホースに手動入力スイッチ（請求項２による）を考案した。この底面接触入力スイッチ及びホース手元スイッチで、紫外線滅菌ランプが照射され、床面、清掃面及び室内の衛生が保たれる。また、人体への照射が阻止され安全が確保される。
【考案の効果】
【０００５】
本考案の、安全スイッチ付き紫外線ランプ掃除機ノズルにより、紫外線ランプが
床面清掃可動時以外に点灯せず、人体への誤照射が無くなり安全性が確保される。
【考案を実施するための最良の形態】
【０００６】
本考案に係る掃除機ノズル（３）は、図１に示すように紫外線を放つ紫外
線ランプ（２）に照射スイッチを備えている。
【図面の簡単な説明】
【０００７】
【図１】本考案に係る紫外線ランプ付き掃除機ノズル底面にスイッチを設けた状態の平面図である。
【符号の説明】
【０００８】
１  吸い込み口
２  紫外線ランプ
３  紫外線ランプ点灯スイッチ
４  掃除機ノズル
【図１】
0003127002.tif 000003
(57)【要約】【課題】  ゲルマニウムを使用して、健康増進効果の期待できる装身具を提供することにある。【解決手段】  リング１は、金７５重量％以上、ゲルマニウム１重量％以下の成分からなる素材を装飾品の形に加工して製作されたものである。このリング１を身に付けることによって、リング１に含有するゲルマニウムの効果を期待できる。【選択図】  図１
0003127059.tif 000002
【実用新案登録請求の範囲】
【請求項１】
金７５重量％以上、ゲルマニウム１重量％以下の成分からなる素材を装飾品の形に加工して製作されたことを特徴とする装身具。
【考案の詳細な説明】
【技術分野】
【０００１】
本発明は、身に付けることで健康増進効果を期待できる装身具に関するものである。
【背景技術】
【０００２】
従来、健康増進に関する装身具には、次に掲げる特許文献１〜４のようなものがある。
【特許文献１】実用新案登録第３０３５８３３号公報
【特許文献２】実用新案登録第３０９７６６８号公報
【特許文献３】実用新案登録第３０９９２６４号公報
【特許文献４】実用新案登録第３１１１７６１号公報
【０００３】
上記特許文献１には、リング状に形成された銅又は銅合金よりなる線条体１の内面に、リング状に形成されたアルミニウム線条体２を貼着してなる健康リングが開示されている（符号は、特許文献１における図面のもの）。
【０００４】
上記特許文献２には、チタン粉末をエラストマー材料に配合してなるインナーリング及び適宜のアウターリングを少なくとも有する２層以上の環状体を積層した健康指リングが開示され、同様に特許文献３には、チタン粉末をエラストマー材料に配合してなるインナーリング及び適宜のアウターリングを少なくとも有する２個以上のリングを積個した健康指リングが開示されている。
【０００５】
上記特許文献４には、ブレスレット乃至アンクレットにして、その成分組成がサマリウムコバルト系乃至フェライト系若しくは希土類プラス、フェライトのハイブリット磁石を特徴とする組成体をリング状に成型し、その芯方向と直交する方向であって、磁極の配列が芯と平行に直線状乃至軸を中心に螺旋状になるように着磁したことを特徴とする、シリコンゴムリング状磁気装身具が開示されている。
【考案の開示】
【考案が解決しようとする課題】
【０００６】
本考案者らは、ゲルマニウムを使用して、健康増進効果の期待できる装身具を提供することを目的として、本考案を完成するに至った。
【課題を解決するための手段】
【０００７】
上記目的を達成するために、本願考案は、金７５重量％以上、ゲルマニウム１重量％以下の成分からなる素材を装飾品の形に加工して製作されたことを特徴とする健康装身具である。
ここで、「装飾品の形」には、リング状，ひも状，鎖状，管状，網状，板状，球状またはこれらを組み合わせたものなどが挙げられる。
【考案の効果】
【０００８】
本考案によれば、次のような効果を有する。
（１）素材にゲルマニウムを含むことで、健康増進効果を期待できる。
（２）ゲルマニウムの含有量は１重量％以下なので、完成品である健康装身具の強度等に特に支障とならない。
【考案を実施するための最良の形態】
【０００９】
本考案の実施形態を図面に基づいて説明する。
図１は、本考案に係るリングを示した説明図である。リング１は、金７５重量％以上、ゲルマニウム１重量％以下の成分からなる素材を装飾品の形に加工して製作されたものである。このリング１を身に付けることによって、リング１に含有するゲルマニウムの効果を期待できる。
【実施例】
【００１０】
［実施例１］本考案に係るホワイトゴールド（ＷＧ）の成分
Ａｕ  ７５．０重量％
Ａｇ    ４．５重量％
Ｐｄ  １５．０重量％
Ｃｕ    ４．５重量％
Ｚｎ        −
Ｇｅ    １．０重量％
［実施例２］本考案に係るイエローゴールド（ＹＧ）の成分
Ａｕ  ７５．０重量％
Ａｇ  １３．８重量％
Ｐｄ        −
Ｃｕ    ９．２重量％
Ｚｎ    １．０重量％
Ｇｅ    １．０重量％
【産業上の利用可能性】
【００１１】
本考案は、健康増進のための装身具として、広く利用できるものである。
【図面の簡単な説明】
【００１２】
【図１】本考案に係るリングを示した説明図。
【符号の説明】
【００１３】
１  リング
【図１】
0003127059.tif 000003
(57)【要約】【課題】クローゼットの折戸の開閉時。折戸の蝶番部で指詰めを防止かつ美観の低下及び光漏れを確実に防止し得る折戸の軸を提供する。【解決手段】本考案は折戸１折戸３の厚みを軸半径にする軸長さは軸２軸４軸５を折戸の高さにする軸の材料は折戸と同等にする隣接する折戸１折戸３の端面に軸半径の円弧を形成する。連接す折戸１折戸３の端面に軸２軸４軸５を交互に貼り付け軸芯６を挿通することで折戸の連結と分離が可能になる。問題の指詰め防止と見栄えも良くなる。隣接する折戸の隙間も塞がり空間の仕切向上で折畳み戸としても利用価値がある。【選択図】図１
0003127093.tif 000002
【実用新案登録請求の範囲】
【請求項１】
本考案の軸半径は折戸の厚みにする。軸長さは折戸の高さにする。軸の材料は折戸と同等にする。連接する折戸の端面に軸の接する軸半径の円弧を形成する。連接する折戸の端面に軸を分割交互に貼り付け軸芯を挿通することで折戸の連結と分離が可能にすることを特徴とする折戸の軸。
【考案の詳細な説明】
【技術分野】
【０００１】  本考案は折戸の開閉する軸の構造に関するものである。
【背景技術】
【０００２】  家具クロッゼト等の折戸。従来の折戸の軸に数個の蝶番金具をネジどめ構造になっている。
【考案の開示】
【考案が解決しようとする課題】
【０００３】  従来の折戸の開閉に蝶番金具が取り付けられ蝶番金具の中心が偏るため隣接する折戸の端面に指を挟み込む状態になる。当然隣接する折戸の間に隙間が出来るその上蝶番金具が露出して美観が損なわれるなどの問題がある。
【課題を解決するための手段】
【０００４】  本考案は折戸の開閉する軸の半径は折戸の厚みとする、軸の長さは折戸の高さに等しくする、軸の材料は折戸と同等にする。隣接する折戸の端面に軸用半径の円弧を形成する同端面に軸をを分割して交互に貼り付け軸芯を挿通することで折戸の軸連結と分離が可能になる。
【考案の効果】
【０００５】  上述の様に問題の指詰め防止と。隣接する折戸の隙間も塞がり空間の仕切向上と折畳み戸としても利用価値がある。従来の蝶番金具は不要になり折戸と軸が一体になり外観は異物が無く見栄えが良い。
【考案を実施するための最良の形態】
【０００６】    本考案の折戸の軸２の長さは折戸の高さの２／４とする，軸２を折戸１の中央に接着剤で貼り付ける軸４．軸５の長さは折戸の高さの１／４とする，軸４．軸５を折戸３の上下両端に貼り付ける。これで折戸１，折戸３に軸が交互に貼り付くことで折戸１，折戸３が連結の形態になる。更に軸を回動するには折戸１，折戸３の軸に軸芯６を挿通する軸芯６は金属製で頭太く胴細、軸芯６の頭を上にすると折戸１，折戸３の軸が連結される。軸芯６の頭を下にすると折戸１，折戸３の軸が分離される。
【実施例】
【０００７】  ミニチャを試作、折戸と軸は木製ホームセンターで調達。軸用半径切削刃製作工作機で連接する折戸の端面を加工、加工した折戸の端面に目隠し粘着テープの無いところに木工用ボンドで軸を貼り付けると折戸の軸の連結が強固な組み合わせになり軸芯の頭を上下で折戸の開閉を繰り返し続けると折戸の連結と分離が可能になった。
【図面の簡単な説明】
【０００８】
【図１】本考案の折戸の軸連結を示す平面図と正面図である。
【図２】本考案の折戸の軸分離を示す正面図である。
【符号の説明】
【０００９】  １折戸
２軸
３折戸
４軸
５軸
６軸芯
【図１】
0003127093.tif 000003
【図２】
0003127093.tif 000004
【手続補正書】
【提出日】平成18年7月14日(2006.7.14)
【手続補正１】
【補正対象書類名】実用新案登録請求の範囲
【補正対象項目名】全文
【補正方法】変更
【補正の内容】
【実用新案登録請求の範囲】
【請求項１】
隣接する折戸の端軸面に軸を交互に貼り付け双方の軸を離脱可能な軸芯で連結する折戸の軸。
(57)【要約】      （修正有）【課題】地面上の溶雪を容易にし、水を電気分解した酸素水素ガスを利用した地面用溶雪装置の提供。【解決手段】水を電気分解した酸素水素ガスで大量の温水を作り、温水パイプラインを様々な形態にして地表近くに埋蔵して溶雪する。【選択図】図１
0003127098.tif 000002
【実用新案登録請求の範囲】
【請求項１】
温水ボイラーに水を電気分解した酸素水素ガスを直結し稼動させて温水を作り、温水をパイプラインで地面に誘導して溶雪を行う地面用溶雪装置。
【考案の詳細な説明】
【技術分野】
【０００１】  水を電気分解した酸素水素ガスの高熱を溶雪装置に利用する。
【背景技術】
【０００２】  地面や道路の積雪の処理は大変である。地下水を汲み上げて雪を溶かしたりしているが、地下水の減少によりそれも年々難しい。
【考案が解決しようとする課題】
【０００３】  水を電気分解した酸素水素ガスを利用した新溶雪装置。
【考案を解決しようとする手段】
【０００４】  水を電気分解した酸素水素ガスを利用することで、温水を大量に作り出すことができ、新しい溶雪装置にすることができる。
【考案実施の形態】
【０００５】  水を電気分解した酸素水素ガスを温水ボイラーに導入して燃焼させ、効率よく温水を作り温水パイプラインを設置して循環させて溶雪する。
【実施例】
【０００６】  以下は添付図により実施例を説明する。図１は溶雪装置の工程図である。１は電気分解により作られた酸素水素ガスである。２の温水ボイラーに導入して温水を作り３の温水パイプラインで温水を循環させることで溶雪ができる。温水パイプラインを地面の表面近くに埋蔵させることで地表を温めることができる。
【考案の効果】
【０００７】  本考案の溶雪装置は温水パイプラインを自由な構造で地面に埋蔵することで溶雪をすることができる。
【図面の簡単な説明】
【０００８】
【図１】  水を電気分解した酸素水素ガスを利用した溶雪装置の工程図である。
【符号の説明】
【０００９】  １  水を電気分解した酸素水素ガス
２  温水ボイラー
３  温水パイプライン
４  地表
【図１】
0003127098.tif 000003
【手続補正書】
【提出日】平成18年8月28日(2006.8.28)
【手続補正１】
【補正対象書類名】実用新案登録請求の範囲
【補正対象項目名】全文
【補正方法】変更
【補正の内容】
【実用新案登録請求の範囲】
【請求項１】
水を電気分解した酸素水素ガスを温水ボイラーに直結し燃焼させ、温水を作りその温水を地面の表面に近い場所に一定の間隔でパイプを敷き、パイプは全部一本につながっていて、パイプの最後はまた温水ボイラーに戻り、温水が循環するようになっている構造を特徴とする酸素水素ガス温水地面用溶雪装置。
(57)【要約】【課題】  本考案はネクタイ未着の場合の、シャツ衿のオサマリ、安定を図る【解決手段】  本考案は衿と台衿、または衿と身ごろから続く衿裏の生地にホール（穴）を１つ開け、カフスボタン、ピンズ等身近なアクセサリーを使用することによって衿を安定させ、且つお洒落なワンポイントアクセントとなり、個性的な演出が可能となる。【選択図】図４
0003127091.tif 000002
【実用新案登録請求の範囲】
【請求項１】
シャツ衿と台衿に、台衿が無い場合は衿と身ごろから続く衿裏の生地にホール（穴）を１つ開けることによって、従来あるカフスボタン、ピンズ等身近なアイテムを使用するだけで衿のオサマリを安定させ、且つ衿元のワンポイントアクセントとなる衿の仕様。
【考案の詳細な説明】
【技術分野】
【０００１】  本考案は、衿の仕様の中で衿と台衿、または衿と身ごろから続く衿裏の生地にホール（穴）を１つ加えることによりカフスボタン、ピンズ等身近な物で衿の安定とファッション性を考えたシャツ衿の仕様に関するものである。
【背景技術】
【０００２】  既存の衿安定仕様として１．ボタンダウンカラー２．タブカラー３．ピンホールカラー４．スナップダウンカラーがある。詳細は、（図１）
【考案の開示】
【考案が解決しようとする課題】
【０００３】  クールビズ等でネクタイを着用する頻度が減ってきている現状ただ単にネクタイをしない状態のシャツの上からジャケットを着用するとシャツ衿のオサマリが非常に悪く、見た目もバランスが悪かった。
【課題を解決するための手段】
【０００４】  衿と台衿、または衿と身ごろから続く衿裏の生地にホール（穴）を１つ開け、カフスボタン、ピンズ等身近なアクセサリーを使用することによって衿を安定させ、且つお洒落なワンポイントアクセントになり前述の欠点を解決しようとするものである。
【考案の効果】
【０００５】  上述の様に、ジャケットの下に着たシャツ衿のオサマリ、安定が良くなるのは勿論、カフスボタン、ピンズ等身近なアイテムを使用するだけでネクタイに変わるＶゾーンのアクセントとなり個性的な演出が出来る。しかも女性用にも当然対応可能である。またこのような着こなしによりカフスボタン、ピンズ等を取り扱う他業種の活性化にも貢献できる。勿論ネクタイ着用も可能。
【考案の実施するための最良の形態】
【０００６】  シャツ衿の大きさ、型はさまざまでどの位置にホール（穴）を開けるかが最大のポイントとなる。本考案は従来のシャツ等に付けているボタンホール、ピンホールをそのまま衿、台衿の見た目ベストバランスの場所に開けるだけである。
【実施例】
【０００７】  以下、添付図面に従って一実施例を説明する。（図１）の１．２．３．４は一般的な衿を安定させる仕様であるが１．以外は一応ネクタイ着用を前提に作られているのでネクタイ未着用の場合バランス的に見た目良くない。１．はある程度定着はしているがトラディショナルイメージが強く、万人に対しては一般的と言い難い。【０００８】  ボタンダウンのボタンホール、ピンホールのホールを（図２）（図３）の５，１０のように位置を決めシャツ衿と台衿に、台衿が無い場合は衿と身ごろから続く衿裏生地の左右にホール（穴）を開ける。ホール（穴）の位置が最大のポイントであるが衿の大きさ、型が一定ではないのでシャツ全体のバランスをじっくり検討し決定するのがベストと考える。一応の目安としては６．７の角度の中心線が交わる位置がベストではないかと考える。【０００９】  本考案の一実施例は上述の如き構成からなるもので簡単な加工で衿の安定と、個性的な演出が出来る衿の仕様である。
【図面の簡単な説明】
【００１０】
【図１】従来ある衿の仕様。
【図２】衿部分を立てて斜め横から見た図である。（カフス、ピンズ対応用）
【図３】衿部分を立てて後ろから見た図である。（ピンズ対応用）
【図４】実際にカフスを使用した図である。
【符号の説明】
【００１１】１    ボタンダウンカラー
２    タブカラー
３    ピンホールカラー
４    スナップダウンカラー（衿先の裏にスナップボタンが付いている）
５    カフス、ピンズ対応用のホール（穴）
６    角度１
７    角度２
８    衿
９    台衿
１０  ピンズ対応用のホール（穴）
【図１】
0003127091.tif 000003
【図２】
0003127091.tif 000004
【図３】
0003127091.tif 000005
【図４】
0003127091.tif 000006
【手続補正書】
【提出日】平成18年6月23日(2006.6.23)
【手続補正１】
【補正対象書類名】実用新案登録請求の範囲
【補正対象項目名】全文
【補正方法】変更
【補正の内容】
【実用新案登録請求の範囲】
【請求項１】
シャツ衿と台衿に、またはシャツ衿と身ごろにホール（穴）を１つ開けることによって、カフスボタン、ピンズ等身近なアイテムを使用するだけで衿のオサマリを安定させ、且つ衿元のワンポイントアクセントとなる衿型のシャツ。
(57)【要約】      （修正有）【課題】屋上の溶雪を容易にし、水を電気分解した酸素水素ガスを利用した屋上用溶雪装置の提供。【解決手段】水を電気分解した酸素水素ガスで大量の温水を作り、自在な構造の温水パイプラインで溶雪する。【選択図】図１
0003127097.tif 000002
【実用新案登録請求の範囲】
【請求項１】
温水ボイラーに水を電気分解した酸素水素ガスを直結し稼動させて温水を作り、温水をパイプラインで屋上に誘導して溶雪を行う屋上用溶雪装置。
【考案の詳細な説明】
【技術分野】
【０００１】  水を電気分解した酸素水素ガスの高熱を溶雪装置に利用する。
【背景技術】
【０００２】  屋上の積雪を雪下ろしをしたり、また屋根の最上部に突起をつけ雪がすべり落ちるような形状にしたり、電気を使った溶雪等がある。
【考案が解決しようとする課題】
【０００３】  水を電気分解した酸素水素ガスを利用した新溶雪装置にする。
【考案を解決しようとする手段】
【０００４】  水を電気分解した酸素水素ガスを利用することで、温水を大量に作り出すことができ、新しい溶雪装置にすることができる。
【考案実施の形態】
【０００５】  水を電気分解した酸素水素ガスを温水ボイラーに導入して燃焼させ、効率よく温水を作り温水パイプラインを設置して循環させて溶雪する。
【実施例】
【０００６】  以下は添付図により実施例を説明する。図１は溶雪装置の工程図である。１は電気分解により作られた酸素水素ガスである。２の温水ボイラーに導入して温水を作り３の温水パイプラインで温水を循環させることで溶雪ができる。温水パイプラインは屋上の形態に合わせた構造にする。
【考案の効果】
【０００７】  本考案の溶雪装置は温水パイプラインを自由な構造にでき、酸素水素ガスを利用することで他のエネルギーより安価に溶雪装置を作り出すことができる。
【図面の簡単な説明】
【０００８】
【図１】  水を電気分解した酸素水素ガスを利用した溶雪装置の工程図。
【符号の説明】
【０００９】  １  水を電気分解した酸素水素ガス
２  温水ボイラー
３  温水パイプライン
【図１】
0003127097.tif 000003
【手続補正書】
【提出日】平成18年8月28日(2006.8.28)
【手続補正１】
【補正対象書類名】実用新案登録請求の範囲
【補正対象項目名】全文
【補正方法】変更
【補正の内容】
【実用新案登録請求の範囲】
【請求項１】
水を電気分解した酸素水素ガスを、温水ボイラーに直結し燃焼させ温水を作り、その温水を屋根の部分全体に一定の間隔でパイプを敷き、パイプは全部一本につながっていて、パイプの最後また温水ボイラーに戻り、温水が循環するようになっている構造を特徴とする酸素水素ガス温水屋上溶雪装置。
(57)【要約】【課題】  本考案は三脚を首掛け式にして、ビデオカメラを手に持つことなく撮影ができる。【解決手段】  本考案はスポンジカバー２で被った首掛けフレーム１と蛇腹プラスチックカバー４で被った５の固定台座と６のビデオカメラ固定ネジが先端に付く固定フレーム３を接合ネジ７ａと７ｂで繋ぐ事により、撮影者の目線で手を放した状態で撮影ができるようにし、撮影者の肉体的負担を軽減する。【選択図】図２
0003127096.tif 000002
【実用新案登録請求の範囲】
【請求項１】
可動首掛けフレームにデジタルビデオカメラやカメラを脱着できる台座を取り付けることにより、三脚を設置する場所が不要で、さらに手放し状態で撮影することができる事を特徴とした首掛け三脚
【考案の詳細な説明】
【技術分野】
【０００１】  本考案は、可動式の首掛けフレームにビデオカメラ及びカメラを脱着できる台座を取り付けた、三脚に関するものである。
【背景技術】
【０００２】  運動会などでビデオ撮影する場合、撮影者は手でビデオカメラを持ち、撮影対象者を常にビデオカメラを覗きながら追う必要がありビデオを取りながら直接応援することが出来ないでいた。また、ビデオカメラを三脚に設置しようとした場合、応援席最前列に設置しなければならず、その確保が難しかった。
【考案の開示】
【考案が解決しようとする課題】
【０００３】  ビデオカメラを常に手に持って撮影し続ける事は、かなり肉体的負担が大きく、また、ビデオ撮影している間は、同時にカメラ撮影が出来ない。また、ビデオカメラを三脚に固定しようとした場合には、その設置場所確保が難しい。従って、ビデオカメラを固定する三脚を首掛け式にする事により三脚設置場所確保の必要もなく、また、手放し状態で撮影が可能になるため、同時にカメラ撮影する事も可能になり前述の欠点を解決しようとするものである。
【課題を解決するための手段】
【０００４】  本考案は、三脚を設置する場所が必要ないように首掛け式にしたものであり、且つ、首に掛けるフレームとビデオカメラを取付けるフレームのジョイント部分を可動式にするため、撮影時は撮影者の目線にビデオカメラを固定できる事により問題点を解決している。
【考案の効果】
【０００５】  上述の様にフレームジョイント部分を可動式にしたことにより、肉体的負担なくビデオの手放し撮影ができると同時に、カメラ撮影や、応援も可能となる。
【考案を実施するための最良の形態】
【０００６】  首を掛けるフレーム部分には、ビデオカメラを取り付けたときの首への負担を軽減する為に、全体をスポンジカバーで被う。ビデオカメラを固定するフレームはＵ字変形にすることによって操作の邪魔にならないようにし、蛇腹プラスチックカバーで被う。首掛けフレームとカメラ固定フレームのジョイント部分は、レバー付ネジで取り付けるため、レバーにより固定フレームを上下に可動することが可能となる。
【実施例】
【０００７】  以下、添付図面に従って一実施例を説明する。１は５ミリ幅Ｕ字型鉄棒の首掛けフレーム部分、２は首への負担を軽減する為の首掛けフレームを被うスポンジカバー。３は３ミリ幅Ｕ字変形鉄棒のビデオカメラ固定フレーム。４は怪我防止の為に固定フレームを被う蛇腹プラスチックカバーで、５はビデオカメラを固定する台座。６は５にビデオカメラを取り付けるネジボルト。７ａは１と３を繋ぐために右側ネジで、７ｂは１と３を繋ぐ７ａと逆切りした左側ネジである。【０００８】  １と３は７ａと７ｂのネジで固定している為、撮影者の目線に合わせるため可動させるだけでなく、使用しないときには折りたたむ事が可能となる。
【図面の簡単な説明】
【０００９】
【図１】本考案の首掛け三脚の一実施例を示す正面図である。
【図２】本考案の首掛け三脚の一実施例を示す側面図である。
【図３】本案件の一部拡大図である。
【図４】本案件の使用例である。
【符号の説明】
【００１０】１  首掛けフレーム
２  スポンジカバー
３  固定フレーム
４  蛇腹プラスチックカバー
５  固定台座
６  ビデオカメラ固定ボルト
７  フレーム接合ネジ
【図１】
0003127096.tif 000003
【図２】
0003127096.tif 000004
【図３】
0003127096.tif 000005
【図４】
0003127096.tif 000006
【手続補正書】
【提出日】平成18年8月21日(2006.8.21)
【手続補正１】
【補正対象書類名】実用新案登録請求の範囲
【補正対象項目名】全文
【補正方法】変更
【補正の内容】
【実用新案登録請求の範囲】
【請求項１】
首掛けフレーム部とビデオカメラ装着台座付フレーム部から構成され、設置するための脚がない携帯型にしたことにより三脚を設置する場所が必要なく、首掛けフレーム部を首と両胸の三点で支持するためビデオカメラを装着しても安定保持を可能にし、さらに装着台座付きフレーム部をネジ留め可動式にしているため、撮影者の撮影対象物を見る目線に合わせてビデオカメラを上下に移動して固定することを可能にし、撮影開始以降は手放し状態で撮影することができる事を特徴とした首掛け三脚
(57)【要約】【課題】コンセント差込口の構造を提供する。【解決手段】母コンセントの構造で、本体上にボタンを増設し、コンセントのオス端子の挿入時、ボタンを推動してボタン下方の支柱が端子座の両推抵部を両側に向かって移動させ、更に、母端子の定位部を推動し、定位部尾端の凸点はオス端子の円孔に係入し、オス端子が緩んで抜けるのを防止する。【選択図】図３
0003127013.tif 000002
【実用新案登録請求の範囲】
【請求項１】
コンセント差込口の構造であって、絶縁外殻、絶縁座、ボタン、母端子、端子座、からなり、前記端子座は推抵部を有し、前記母端子上に定位部を有し、前記オス端子が前記母端子に挿入される時、前記ボタンを推動し、前記ボタンの支柱が前記推抵部を前に推動し、前記推抵部は両側に移動し、更に、前記母端子の定位部を推頂し、前記定位部が推頂され、その上の凸点は前記オス端子の円孔に係入し、前記オス端子が緩んで抜けるのを防止することを特徴とするコンセント差込口の構造。
【請求項２】
前記母端子の一端は前記端子座を延伸し、且つ、二つのアームを斜めに伸出して、前記絶縁座内に固定され、もう一端は、二片の彎折する導電片を対称に設置して、挟状の端子をなし、中央に開口を有して前記オス端子を挿入し、前記母端子は前記端子座の中央に近接する導電片上に孔を掘って定位部をその中に設置することを特徴とする請求項１に記載のコンセント差込口の構造。
【請求項３】
前記母端子は前記端子座の中央に近接する導電片上に孔中に位置することを特徴とする請求項１に記載のコンセント差込口の構造。
【請求項４】
前記定位部前端は、前記オス端子に向かって係合する凸点を設置して、前記オス端子を固定することを特徴とする請求項１に記載のコンセント差込口の構造。
【考案の詳細な説明】
【技術分野】
【０００１】
本考案は、コンセント差込口の構造であって、特に、母コンセント中にボタン、端子座の推抵部、母端子上の定位部とその上の凸点を有し、コンセントのオス端子の挿入時、オス端子が引きにより緩むのを防止するコンセント差込口の構造に関する。
【背景技術】
【０００２】
現在、家庭、オフィス等、各場所で様々な電気が使用されており、電気のコンセントの使用率は非常に高い。図１は、公知のコンセントの立体図で、コンセント１は差し込み時、プラグを固定する機構がなく、且つ、公知のコンセント１は長期に渡る使用で、プラグが容易に緩み、電気が突然断電して、電気が損傷する恐れがある。
【考案の開示】
【考案が解決しようとする課題】
【０００３】
本考案は、コンセント差込口の構造を提供し、上述の問題を改善することを目的とする。
【課題を解決するための手段】
【０００４】
本考案のコンセント差込口の構造は、本体上にボタンを増設し、コンセントのオス端子の挿入時、ボタンを推動してボタン下方の支柱が端子座の両推抵部を両側に向かって移動させ、更に、母端子の定位部を推動し、定位部尾端の凸点はオス端子の円孔に係入し、オス端子が緩んで抜けるのを防止する。
【考案の効果】
【０００５】
揺動や引きにより緩まない、端子係合後、接触不良の問題が生じない、ボタンと推抵部はプラスチック材質で、金属との摩擦により損耗することがない、という長所がある。
【考案を実施するための最良の形態】
【０００６】
図２、図３で示される本考案の差込口構造２は、絶縁外殻２１、絶縁座２２、ボタン３、母端子４、端子座５、からなる。構造外周の絶縁外殻２１内に絶縁座２２を嵌設し、絶縁座２２頂部にボタン３を装設する。絶縁外殻２１頂端は、孔を有してボタン３を露出し、ボタン３下方に支柱３１を設け、また、絶縁座２２内に端子座５を装着し、端子座５は母端子４をその上に嵌設し、且つ、端子部５に推抵部５１を内設し、母端子４の挟形端子はオス端子６を挿入する。母端子４一端は端子座５を延伸し、且つ、二つのアームを斜めに伸出して絶縁座２２中に固定し、もう一端は、二片の彎折する導電片を対称に設置して、挟状の端子をなす。中央に、開口を有してオス端子６を挿入し、母端子４は端子座５の中央に近接する導電片上に孔を掘って定位部をその中に設置し、定位部４１は、導電片上から弾性を有する金属片を延伸し、定位部４１前端は、オス端子６に向かって係合する凸点４１１を設置して、オス端子６を固定する。
【０００７】
図４〜図６で示されるように、断面図中、本考案のコンセント差込口構造２は、絶縁外殻２１が絶縁座２２を包覆し、絶縁座２２に端子座５を内設し、端子座５中に二つの推抵部５１を有し、ボタン３の支柱３１は推抵部５１横に抵接し、母端子４は端子座５中に挿設され、且つ、母端子４上に定位部４を有し、定位部４１は凸点４１１を有し、オス端子６を固定する。オス端子が挟形の母端子に挿入される時、ボタン３を推動し、ボタン３の支柱３１は前に向かって、端子座５の両推抵部５１を推頂し、推抵部５１は更に、母端子４の定位部４１を両側に向かって移動させ、定位部４１の凸点４１１は丁度、オス端子６の円孔に係入され、オス端子６が母端子４中に鎖固され、引きや揺動により緩むことがない。
【０００８】
上述の構造により、揺動や引きにより緩まない、端子係合後、接触不良の問題が生じない、ボタンと推抵部はプラスチック材質で、金属との摩擦により損耗することがない。
【０００９】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案明の保護範囲は、実用新案請求の範囲で指定した内容を基準とする。
【図面の簡単な説明】
【００１０】
【図１】公知のコンセント差込口の立体図である。
【図２】本考案の差込口の構造の立体図である。
【図３】本考案の差込口の構造の分解図である。
【図４】本考案の差込口の構造の断面図である。
【図５】本考案の差込口の構造の作動図（一）である。
【図６】本考案の差込口の構造の作動図（二）である。
【符号の説明】
【００１１】
１      公知のコンセント
２      コンセント差込口構造
２１    絶縁外殻
２２    絶縁
３      ボタン
３１    支柱
４      母端子
４１    定位部
４１１  凸点
５      端子座
５１    推抵部
６      オス端子
【図１】
0003127013.tif 000003
【図２】
0003127013.tif 000004
【図３】
0003127013.tif 000005
【図４】
0003127013.tif 000006
【図５】
0003127013.tif 000007
【図６】
0003127013.tif 000008
(57)【要約】【課題】  外来種の雑草などの繁殖を抑えて、灼熱地獄からも苗木の根を保護できる防草マットの提供。【解決手段】  複数の細板材２を編み縄３を介して連続編みしてなる左右一対のマット体１Ａ・１Ｂを備え、該左右のマット体１Ａ・１Ｂの対向する側縁中央に半円弧状の切欠部４を形成し、当該各切欠部４で画成される円空間内に苗木の根元を位置させる状態を得て、苗木の周囲地面に上記左右一対のマット体１Ａ・１Ｂを敷設することにより、マット体１Ａ・１Ｂで苗木の周囲地面が完全に覆われることとなるので、雑草が繁殖し難くなると共に、苗木の周囲地面に所定の面積を持つ左右一対のマット体１Ａ・１Ｂを敷設することは、特に、真夏の灼熱地獄から、松の苗木の根を有効に保護することも可能となるので、いずれにしても、苗木の生長が大いに促されることとなる。【選択図】  図１
0003127011.tif 000002
【実用新案登録請求の範囲】
【請求項１】
複数の細板材を編み縄を介して連続編みしてなる左右一対のマット体を備え、該左右のマット体の対向する側縁中央に半円弧状の切欠部を形成し、当該各切欠部で画成される円空間内に苗木の根元を位置させる状態を得て、苗木の周囲地面に上記左右一対のマット体を敷設することを特徴とする防草マット。
【請求項２】
細板材が割り竹からなることを特徴とする請求項１記載の防草マット。
【考案の詳細な説明】
【技術分野】
【０００１】
本考案は、例えば、砂浜や山に移植された松の苗木などを雑草から保護するためと、外来種の雑草の繁殖を防止するためと、下刈の手間と費用の削減のために使用される防草マットに関するものである。
【背景技術】
【０００２】
通常、砂浜や山に移植された松の苗木に対しては、その生長を積極的に促すために、栄養となる牛糞などに外来種の草木の種が混入している肥料が与えられている。
【考案の開示】
【考案が解決しようとする課題】
【０００３】
この為、松の苗木の周りにこの外来種の雑草が生えると、この肥料の栄養分が外来種の雑草にも与えられてしまうので、外来種の雑草が繁殖して、苗木が十分に生長することができなかった。
【０００４】
又、真夏の太陽などで地面が熱せられると、その灼熱により、松の苗木の根が弱ってしまうので、これによっても、松の苗木が十分に生長することができなかった。
【課題を解決するための手段】
【０００５】
本考案に係る防草マットは、斯かる実情に鑑み開発されたもので、請求項１記載の考案は、複数の細板材を編み縄を介して連続編みしてなる左右一対のマット体を備え、該左右のマット体の対向する側縁中央に半円弧状の切欠部を形成し、当該各切欠部で画成される円空間内に苗木の根元を位置させる状態を得て、苗木の周囲地面に上記左右一対のマット体を敷設することを特徴とする。
【０００６】
請求項２記載の考案は、請求項１を前提として、細板材が割り竹からなることを特徴とする。
【考案の効果】
【０００７】
依って、請求項１記載の考案にあっては、各切欠部で画成される円空間内に苗木の根元を挾みながら位置させて、左右一対のマット体を苗木の周囲地面に敷設すれば、これにより、外来種の雑草の繁殖が効果的に抑制できるので、苗木は、肥料の栄養分を十分に吸収して、その生長が大いに促される。
【０００８】
又、左右一対のマット体の敷設は、苗木の根を真夏の灼熱から有効に保護することができるので、これによっても、苗木の生長を同時に促すことが可能となる。
【０００９】
更に、左右一対のマット体は、その対向する側縁中央に半円弧状の切欠部を形成している関係で、当該各切欠部で苗木の根元をその太さに応じて確実に挾むことが可能となるので、防草マットを苗木の生長に即して有効に敷設することが可能となる。
【００１０】
請求項２記載の考案にあっては、左右一対のマット体が割り竹からなる関係で、竹自体の特性を生かして、堅牢で安価な防草マットを提供できる。
【考案を実施するための最良の形態】
【００１１】
本考案に係る防草マットは、複数の細板材を編み縄を介して連続編みしてなる左右一対のマット体を備え、該左右のマット体の対向する側縁中央に半円弧状の切欠部を形成し、当該各切欠部で画成される円空間内に苗木の根元を位置させる状態を得て、苗木の周囲地面に上記左右一対のシート体を敷設することにより、雑草の繁殖を効果的に抑制せんとするものである。
【実施例】
【００１２】
以下、本考案を図示する好適な実施例に基づいて詳述すれば、該実施例に係る防草マットは、海岸砂丘などに防風林として移植された松の苗木を外来種の雑草から保護するために開発されたもので、図１に示す如く、松の苗木の周囲地面に敷設される左右一対のマット体１Ａ・１Ｂを備えることを特徴とする。
【００１３】
そして、この左右一対のマット体１Ａ・１Ｂは、図示する如く、矩形状の細板材たる複数の割り竹２を２本の編み縄３を介して連続編みしてなるもので、各々は、割り竹２の寸法と数に応じた所定の面積を有する一方、各マット体１Ａ・１Ｂの対向する側に存する一の割り竹２の側縁中央に半円弧状の切欠部４を形成して、該半円弧状を呈する各切欠部４で画成される円空間内に松の苗木の根元をその太さに応じて挾持できる構成となっている。
【００１４】
依って、実際の使用に際しては、図２に示す如く、松の苗木５の根元を左右一対のマット体１Ａ・１Ｂの各切欠部４で挾持しながら位置させる状態を得て、当該左右一対のマット体１Ａ・１Ｂを同苗木５の周囲地面に左右対称に敷設すれば、その使用に供されることとなるが、斯かる状態にあっては、割り竹２からなるマット体１Ａ・１Ｂで苗木５の周囲地面が完全に覆われることとなるので、これにより、雑草が繁殖し難くなる。
【００１５】
従って、これにより、肥料の栄養分が雑草に奪われることがなくなるので、松の苗木５は、十分な栄養分を吸収して、大いに生長することが可能となる。
【００１６】
又、苗木５の周囲地面に所定の面積を持つ左右一対のマット体１Ａ・１Ｂを敷設することは、特に、真夏の灼熱地獄から、松の苗木５の根を有効に保護することも可能となるので、これによっても、松の苗木５の生長が大いに促されることとなる。
【００１７】
更に、半円弧状の切欠部４は、生長過程の苗木５の太さを吸収することもできるので、常に、防草マットの最適な敷設状態が得られることとなる。
【産業上の利用可能性】
【００１８】
本考案に係る防草マットは、特に、外来種の雑草の繁殖を抑えて、灼熱地獄からも苗木の根を保護できるものであるから、特に、海岸砂丘などに防風林として植えられた松の苗木などに使用すれば、頗る好都合なものとなる。
【図面の簡単な説明】
【００１９】
【図１】本考案の実施例に係る防草マットを示す斜視図である。
【図２】同防草マットの使用状態を示す斜視図である。
【符号の説明】
【００２０】
１Ａ  左のマット体
１Ｂ  右のマット体
２    割り竹（細板材）
３    編み縄
４    切欠部
５    松の苗木
【図１】
0003127011.tif 000003
【図２】
0003127011.tif 000004
(57)【要約】      （修正有）【課題】ヨーグルトパック利用時のわずらわしさと、ヨーグルトパック利用後の不潔さを解消して、加工資源の有効活用、無駄時間削減及び、快適度の追求を図った快適ＥＣＯ飴フォルダーの提供。【解決手段】商品陳列用の穴加工部のクリップ部を開封用のタブとして使用する形とし、開封後もフォルダーとして使用出来る構造を有し、開封前に予め封入していた、クランプ機能を持つグッズを使用して二つ折りにして使用する。更に陳列用に明けた穴の表側を簡単に開封できるように識別しておく。また、袋の裏側に、快適ＥＣＯ飴ホルダーの使用方法を明記しておく。【選択図】図１
0003127083.tif 000002
【実用新案登録請求の範囲】
【請求項１】
二つ折りにして、中身以外は、ほとんど加工資源として、再利用し易い袋
【請求項２】
袋の中に、袋がフォルダーとして使用可能できる簡単なクランプを製品と共に入れておく
【請求項３】
ちんれつ用の穴加工部の切れ目を開封用として使用する事を穴加工部に明記
【請求項４】
袋の裏側に、使用方法を明記
【考案の詳細な説明】
【技術分野】
【０００１】システム開発技術
【背景技術】
【０００２】袋印刷技術＋菓子包装技術
【考案の開示】
【考案が解決しようとする課題】
【０００３】加工資源の有効活用＋無駄時間削減＋快適度の追求
【課題を解決するための手段】
【０００４】商品の表に開封箇所を明記
ちんれつ用に明けた穴の表側を簡単に開封できるように識別しておく
袋の中にメーカーとユーザーの資源有効活用とロスタイム削減の意識付けのクランプを入れておく
袋の裏側に、快適ＥＣＯ飴ホルダーの使用方法を明記しておく
【図面の簡単な説明】
【０００５】
【図１】
0003127083.tif 000003
【図２】
0003127083.tif 000004
【図３】
0003127083.tif 000005
【手続補正書】
【提出日】平成18年3月13日(2006.3.13)
【手続補正１】
【補正対象書類名】実用新案登録請求の範囲
【補正対象項目名】全文
【補正方法】変更
【補正の内容】
【実用新案登録請求の範囲】
【請求項１】
商品陳列用の穴加工部のリップ部を開封用のタブとして使用すると言う形状を有する快適ＥＣＯ飴フォルダー
【請求項２】
請求項１を特徴とする、開封後もフォルダーとして使用出来る構造を有する快適ＥＣＯ飴フォルダー
【請求項３】
開封前に袋の中に、クランプ機能を持つグッズを入れてある、請求項１，２を特徴とする快適ＥＣＯ飴フォルダー
【手続補正２】
【補正対象書類名】明細書
【補正対象項目名】０００５
【補正方法】変更
【補正の内容】
【０００５】
【図１】平面図  陳列用穴加工部のリップ部タブを使用して開封した状態を現す
【図２】陳列用穴加工部のリップ部を開封用タブとして使用する事を示す
【図３】開封前に予め封入していた、クランプ機能を持つグッズを使用して二つ折りにしてロックした状態を現す
【手続補正書】
【提出日】平成18年5月24日(2006.5.24)
【手続補正１】
【補正対象書類名】実用新案登録請求の範囲
【補正対象項目名】全文
【補正方法】変更
【補正の内容】
【実用新案登録請求の範囲】
【請求項１】
商品吊下げ陳列用の穴加工部の切れ端部を開封用のつまみ代として使用すると言う形状を有する快適ＥＣＯ飴フォルダー
【請求項２】
請求項１を特徴とする、開封後もフォルダーとして使用出来る構造を有する快適ＥＣＯ飴フォルダー
【請求項３】
開封前に袋の中に、クランプ機能を持つグッズを入れてある、請求項１，２を特徴とする快適ＥＣＯ飴フォルダー
【手続補正２】
【補正対象書類名】明細書
【補正対象項目名】０００５
【補正方法】変更
【補正の内容】
【０００５】
【図１】平面図  商品を陳列する目的で吊下げ用に明けられた打ち抜き部の下側に残った切れ端の部分を使用して開封する状態を示す
【図２】陳列の為に吊下げる穴の下側の切れ端部を商品を開封する為のつまみ代として使用する事を示す
【図３】開封前に予め封入していた、クランプ機能を持つグッズを使用して二つ折りにしてロックした状態を現す
(57)【要約】【課題】これまで飲料メーカーの大量生産された味を選び飲んでいたのが大半であり、水、お茶を選択し飲むことが困難であった。よい水よいお茶を選び健康に役立つお茶飲むことができるペットボトル用お茶パックホルダーを提供する。【解決手段】  ペットボトルサイズに合ったお茶パックホルダーをしようすることにより適時挿入、取り出しを可能になり冷水、温水共に携帯し外出時も選んだ水、選んだ茶葉によりお茶を飲むことができる。【選択図】図４
0003127085.tif 000002
【実用新案登録請求の範囲】
【請求項１】
上部・中胴部・中胴部カバーから成り上部には取り出し取手を付け（１）中胴部〔図２〕にはお茶パック挿入口（５）を設けはみ出し防止カバー〔図３〕組み込み必要に応じて連結口（６）に２個３個と連結し使用できる樹脂製お茶パックホルダー
【考案の詳細な説明】
【技術分野】
【０００１】この考案は、上部・中胴部・中胴部カバーともにペットボトル同様ＰＥＴ樹脂から成り使用後洗浄することにより再使用できるものである
【考案の開示】
【背景技術】
【０００２】従来お茶パックを直接挿入か紐付きタイプ又は掘り込浮遊形があった。
【考案が解決しようとする課題】
【０００３】  これは、次のような欠点があった。
（１）お茶パックをペットボトル挿入し使用した場合は取出しが大変難しい。
（２）お茶パック挿入のまま飲むことが困難である。
（３）掘り込方は途中取出しが難しく飲むことも困難である。
本案はこれらの欠点を除くためになされたものである。
【課題を解決するための手段】
【００４】全体が三つの部分からなり上部には取り出し用取手配し中胴部には大型のお茶パック挿入口を設け、はみだし防止カバー取り付け、中央部下部には連結口を設けることにより２個、３個と連結できる  好み、健康のため途中取り出し増結が簡単にできる又洗浄することにより再利用も可能である。
【考案の効果】
【００５】（１）濃度調節簡単にできのことにより身体に合ったお茶を飲むもことができる
（２）専用パック市販お茶パック問わず使用できる
（３）名水と言われる水と銘茶との組み合わせ容易できる
【考案を実施するための最良の形態】浄水器をとうした水またはペットボトルで販売されている水を使用し水、又は温水と考案のホルダーにお茶を組み込むことによりお茶等（紅茶・コーヒー）利用の巾が広がるペットボトル再利用にも貢献できる考案ペットボトルホルダーもＰＥＴ樹脂を使用することによりリサイクルもペットボトル同様に処理できる。
【図面の簡単な説明】
【図１】  本案の上部図である。
【図２】  本案の中胴図である。
【図３】  本案の中胴カバー図である。
【図４】  本案の組込み図である。
【図５】  本案の実施図である
【符号の説明】
１  取出し取手      ２  空気お茶流入出口        ３  中胴連結口
４  中胴部カバー    ５  お茶パック挿入口        ６  ２個目連結口
７  お茶パック
【図１】
0003127085.tif 000003
【図２】
0003127085.tif 000004
【図３】
0003127085.tif 000005
【図４】
0003127085.tif 000006
【図５】
0003127085.tif 000007
【手続補正書】
【提出日】平成18年5月11日(2006.5.11)
【手続補正１】
【補正対象書類名】実用新案登録請求の範囲
【補正対象項目名】全文
【補正方法】変更
【補正の内容】
【実用新案登録請求の範囲】
【請求項１】
ペットボトル樹脂からなる中空ホルダー内にお茶入パックを挿入し好み濃度により連結可能なホルダー
【手続補正書】
【提出日】平成18年8月21日(2006.8.21)
【手続補正１】
【補正対象書類名】実用新案登録請求の範囲
【補正対象項目名】全文
【補正方法】変更
【補正の内容】
【実用新案登録請求の範囲】
【請求項１】
上部・中胴部・中胴部カバーから成り、上部には取り出し取手を付け中胴部にはお茶パック挿入口を設け、はみ出し防止のためのカバーを組み込み、必要に応じて連結口に２個３個と連結し使用できる樹脂製お茶パックホルダー。